(57)【要約】【課題】ラジエーターの給水口に装着したキャップを容易に目視することができ、キャップを給水口に対して脱着させる際に大きな作業空間を確保でき、吸水口に挿入される給水ホースと、この給水ホースの周囲部材との干渉の虞を少なくする。【解決手段】本発明は、部品配置に制約を受ける旋回体２を備えたミニショベルにおいて、ラジエーター１９を運転席４の下方に形成されエンジン１７が収容されるエンジンルーム１６に配置し、カウンターウエイト６側に位置するエンジンルーム１６の上部カバー８に開口部２０を形成し、この開口部２０に、給水口２１、及びこの給水口２１に装着したキャップ２２を配置し、開口部２０を開閉可能で、裏面にキャップ２２を回転させる複数の爪３０ｂを有する蓋部３０と、給水口２１とラジエーター１９とを連絡するパイプ２４及びホース２５を含む給水配管とを備えた構成にしてある。【選択図】図４
2017043984.tif 000002
【特許請求の範囲】
【請求項１】
走行体と、この走行体上に配置され、運転席が配置される旋回体と、この旋回体に上下方向の回動可能に連結される作業装置と、前記旋回体の後部に配置されたカウンターウエイトと、前記旋回体上に配置されるラジエーターと、このラジエーターの上方位置に設けられ、前記ラジエーターへの給水に活用される給水口と、前記給水口に装着され、水平面内に回転し前記給水口を開閉可能なキャップとを備えた小型油圧ショベルにおいて、
前記ラジエーターを、前記運転席の下方に形成されエンジンが収容されるエンジンルームに配置し、
前記カウンターウエイト側に位置する前記エンジンルームの上部カバーに開口部を形成し、
前記開口部に、前記給水口、及び当該給水口に装着した前記キャップを配置し、
前記開口部を開閉可能な蓋部と、
前記給水口と前記ラジエーターとを連絡する給水配管とを備えたことを特徴とする小型油圧ショベル。
【請求項２】
請求項１に記載の小型油圧ショベルにおいて、
前記給水配管は、前記給水口が設けられるパイプと、このパイプに接続され、前記ラジエーターに給水を導くホースとを含むことを特徴とする小型油圧ショベル。
【請求項３】
請求項１に記載の小型油圧ショベルにおいて、
前記蓋部は、裏面に前記キャップを回転させることが可能な爪を有することを特徴とする小型油圧ショベル。
【請求項４】
請求項３に記載の小型油圧ショベルにおいて、
前記蓋部は、前記開口部を閉じた状態にあって、前記エンジンルームの前記上部カバーの上面と略同一面を形成可能な平板部材を含み、
前記爪を、前記平板部材の裏面に設けたことを特徴とする小型油圧ショベル。
【請求項５】
請求項１に記載の小型油圧ショベルにおいて、
前記運転席を覆い、一対の支柱が前記エンジンルームの前記上部カバーに形成した貫通穴に挿入されて支持されるキャノピーを備え、
前記開口部を、前記キャノピーの前記一対の支柱の間に形成したことを特徴とする小型油圧ショベル。
【発明の詳細な説明】
【技術分野】
【０００１】
本発明は、部品配置に制約を受ける旋回体上の狭い部品配置空間内にラジエーターを配置した小型油圧ショベルに関する。
【背景技術】
【０００２】
小型油圧ショベルを構成する後方小旋回型ミニショベルや超小旋回型ミニショベルなどにあっては、旋回体上の部品配置空間は非常に狭い。旋回体上の限られた空間内を利用してラジエーター等が配置されている。ラジエーターに対しては、定期的に給水作業が行われる。このラジエーターの上方位置には、ラジエーターへの給水時に活用される給水口が設けられている。この給水口には、水平面内に回転し、当該給水口を開閉可能なキャップが装着されている。ラジエーターを部品配置に制約を受ける旋回体上のどの箇所に配置が可能か、またラジエーターへの給水作業に配慮して、給水口に装着したキャップの位置をどこにすればよいかは、当該小型油圧ショベルにあっては重要な問題となっている。
【０００３】
ラジエーターの位置、及び給水口に装着されるキャップの位置に配慮した従来技術が、特許文献１に開示されている。この特許文献１に開示された小型建設機械は、走行体と、この走行体上に配置され、運転席が設けられる旋回体と、この旋回体に上下方向の回動可能に取り付けられ、掘削作業等を行う作業装置とを備えている。運転席の下方には、エンジン、及び各種の油圧機器が配置されている。
【０００４】
この従来技術にあっては、操作レバーと一体に設けたコントロールボックスを運転席の側方に配置し、このコントロールボックスの下側にラジエーターを配置してある。このラジエーターの上方位置には給水口が設けられ、この給水口に水平面内に回転し当該給水口を開閉可能なキャップが装着されている。
【０００５】
この従来技術では、ラジエーターへの給水に際しては、操作レバーを把持してコントロールボックスを上方向に回動、すなわち跳ね上げ、これによってコントロールボックスの下側とラジエーターの上側との間に、側面視が略三角形となる空間部を形成し、この狭い空間部を利用して給水口に装着したキャップを取り外し、吸水ホースの先端を給水口に挿入してラジエーターへの給水を行うようになっている。
【先行技術文献】
【特許文献】
【０００６】
【特許文献１】特開２００１−１０７３９４号公報
【発明の概要】
【発明が解決しようとする課題】
【０００７】
特許文献１に開示された従来技術は、コントロールボックスの下方に、ラジエーターの給水口を開閉するキャップが装着されているので、ラジエーターへの給水時にコントロールボックスを跳ね上げた際に、コントロールボックスが視覚上の障害となり、キャップを目視し難い。また、コントロールボックスの下側とラジエーターの上側との間に形成される側面視が略三角形となる狭い空間部においてキャップの取り外しを行うので、ラジエーターの給水口に対するキャップの脱着作業がやりにくい。さらに、ラジエーターの給水口に給水ホースを挿入する際に、給水ホースと、この給水ホースの周囲の機材とが干渉しないように、給水ホースを慎重に保持しなければならない。これらのことから従来技術にあっては、ラジエーターへの給水作業の作業性の点で問題がある。
【０００８】
本発明は、前述した従来技術における実情からなされたもので、その目的は、ラジエーターの給水口に装着したキャップを容易に目視することができ、また、キャップを給水口に対して脱着させる際に大きな作業空間を確保でき、また、吸水口に挿入される給水ホースと、この給水ホースの周囲部材との干渉の虞を少なくすることができる小型油圧ショベルを提供することにある。
【課題を解決するための手段】
【０００９】
この目的を達成するために、本発明は、走行体と、この走行体上に配置され、運転席が配置される旋回体と、この旋回体に上下方向の回動可能に連結される作業装置と、前記旋回体の後部に配置されたカウンターウエイトと、前記旋回体上に配置されるラジエーターと、このラジエーターの上方位置に設けられ、前記ラジエーターへの給水に活用される給水口と、前記給水口に装着され、水平面内に回転し前記給水口を開閉可能なキャップとを備えた小型油圧ショベルにおいて、前記ラジエーターを、前記運転席の下方に形成されエンジンが収容されるエンジンルームに配置し、前記カウンターウエイト側に位置する前記エンジンルームの上部カバーに開口部を形成し、前記開口部に、前記給水口、及び当該給水口に装着した前記キャップを配置し、前記開口部を開閉可能な蓋部と、前記給水口と前記ラジエーターとを連絡する給水配管とを備えたことを特徴としている。
【発明の効果】
【００１０】
本発明に係る小型油圧ショベルは、開口部をカウンターウエイト側に位置するエンジンルームの上部カバーに設けてあることから、この開口部に配置したキャップを旋回体の後部付近の上方から容易に目視することができる。また、旋回体の後部付近には広い空間部が形成されているので、キャップを給水口に対して脱着させる際の作業空間を大きく確保でき、キャップの脱着を簡単に行うことができる。また、ラジエーターの給水口の周囲には十分な空間を形成させることができるので、給水口に挿入する給水ホースと、この給水ホースの周囲に配置される部材との干渉の虞を少なくすることができ、給水ホースの扱いが簡単になる。これらにより本発明は、従来技術に比べてラジエーターに対する給水作業の作業性に優れた信頼性の高い小型油圧ショベルを実現させることができる。
【図面の簡単な説明】
【００１１】
【図１】本発明に係る小型油圧ショベルの一実施形態を構成するミニショベルを示す斜視図である。
【図２】図１に示したミニショベルの旋回体上に配置される主要部品の配置を示す図である。
【図３】図１の要部を拡大して示した斜視図である。
【図４】図３に示す蓋部を取り外した状態を示す要部拡大斜視図である。
【図５】本実施形態に備えられるラジエーターの給水系統を示す斜視図である。
【図６】本実施形態に設けられる開口部を塞ぐ蓋部を示す図で、（ａ）図は表面側を示す斜視図、（ｂ）図は裏面側を示す斜視図である。
【図７】本実施形態の動作を説明する要部拡大斜視図である。
【発明を実施するための形態】
【００１２】
以下、本発明に係る小型油圧ショベルの実施の形態を図面に基づいて説明する。
【００１３】
図１に示すように、本発明に係る小型油圧ショベルの一実施形態は、ミニショベルから成っている。このミニショベルは、走行体１と、この走行体１上に配置され、部品配置に制約を受ける旋回体２と、この旋回体２に上下方向の回動可能に取り付けられ、掘削作業等を行う作業装置３とを備えている。
【００１４】
旋回体２上には運転席４が配置され、この運転席４を覆うようにキャノピー５を設けてある。キャノピー５は、運転席４の上部に配置されるルーフ５ａと、このルーフ５ａを支持する一対の支柱５ｂとを含んでいる。
【００１５】
図２に示すように、部品配置空間が狭い旋回体２上には、前側位置に前述した作業装置３が取り付けられるスイングポスト１０を備えている。左側位置には、各油圧アクチュエータに供給される圧油の流れを制御するコントロールバルブ１１を配置してあり、右側位置には、燃料タンク１２とオイルタンク１３を前後に配置してある。中央位置には、当該旋回体２を旋回させる旋回モータ１４を配置してある。
【００１６】
運転席４の下方には、仕切り板１５で区画されたエンジンルーム１６を設けてあり、このエンジンルーム１６には、中央位置にエンジン１７を配置し、左側位置にエンジン１７によって駆動する油圧ポンプ１８を配置し、右側位置にラジエーター１９を配置してある。
【００１７】
図３に示すように、カウンターウエイト６の上側には、エンジンルーム１６の側部を形成する着脱可能な外装カバー７を設けてある。また、エンジンルーム１６の上部分には、固定カバーを構成する上部カバー８を設けてある。前述したキャノピー５の支柱５ｂのそれぞれは、下端部分が上部カバー８に形成した貫通穴に挿入され、エンジンルーム１６に配置された図示しない支持部材に支持されている。
【００１８】
図４に示すように、本実施形態に係るミニショベルは、カウンターウエイト６側に位置するエンジンルーム１６の上部カバー８の、キャノピー５の一対の支柱５ｂ間に形成されるデッドスペースに開口部２０を形成してある。この開口部２０に、図４及び図５に示すラジエーター１９の給水口２１、及びこの給水口２１に装着したキャップ２２を配置してある。給水口２１はラジエーター１９よりも上方位置に配置してある。キャップ２２は水平面内に回転可能に給水口２１に装着させてある。
【００１９】
図３及び図６に示すように、本実施形態は、開口部２０を開閉可能な蓋部３０を備えている。また、給水口２１とラジエーター１９とを連絡する給水配管を備えている。
【００２０】
図５に示すように、前述した給水配管は、給水口２１が設けられるパイプ２４と、このパイプ２４に接続され、ラジエーター１９に給水を導くホース２５とを含んでいる。なお、パイプ２４には、エンジン１７に給水を導くホース２６が接続されている。
【００２１】
図６（ｂ）に示すように、蓋部３０は、裏面にキャップ２２を回転させることが可能な複数、例えば４つの爪３０ｂを有している。この蓋部３０は、図３、図６（ａ）（ｂ）に示すように、開口部２０を閉じた状態にあっては、エンジンルーム１６の上部カバー８の上面と略同一面を形成可能な平板部材３０ａを含み、４つの爪３０ｂを平板部材３０ａの裏面に設けてある。
【００２２】
図５に示すように、本実施形態は、給水口２１を保持し、エンジンルーム１６に配置された図示しない支持部材に支持されるブラケット２３を備えている。
【００２３】
このように構成した本実施形態に係るミニショベルにあっては、図３に示すように開口部２０を閉じるように蓋部３０をエンジンルーム１６の上部カバー８に取り付けた際には、蓋部３０の４つの爪３０ｂが、キャップ２２に互いに対抗するように設けられた２つの凸部を挟むように配置される。なお、キャップ２２の周囲に充分な空間部が形成される場合には、４つの爪３０ｂがキャップ２２を挟まずに挿入するようにして蓋部３０を上部カバー８に取り付けてもよい。
【００２４】
ラジエーター１９への給水に際しては、蓋部３０を上部カバー８から取り外して開口部２１を露出させる。ここで図７に示すように、蓋部３０の裏面に設けた４つの爪３０ｂをキャップ２２に係合させ、この状態で蓋部３０を水平面内で回転させる。これにより、給水口２２に装着されていたキャップ２２を取り外すことができる。
【００２５】
この状態で給水口２１に、図示しない給水ホースの先端を挿入し、給水を行う。給水口２１から供給された水は、パイプ２４、ホース２５を介してラジエーター１９に導かれ、また、パイプ２４、ホース２６を介してエンジン１７に導かれる。
【００２６】
ラジエーター１９への給水作業が終了した後には、給水口２１を閉じるようにこの給水口２１にキャップ２２を装着し、４つの爪３０ｂを下側に位置させるようにして、また、平板部材３０ａの上面が上部カバー８の上面に略一致するようにして、蓋部３０を上部カバー８に取り付け、開口部２０を蓋部３０で閉じる。
【００２７】
以上のように構成した本実施形態に係るミニショベルは、開口部２０をカウンターウエイト６側に位置するエンジンルーム１６の上部カバー８に設けてあることから、この開口部２０に配置され、給水口２１に装着したキャップ２２を、旋回体２の後部付近の上方から容易に目視することができる。
【００２８】
また、旋回体２の後部付近に広い空間部が形成されるので、キャップ２２を給水口２１に対して脱着させる際の作業空間を大きく確保することができ、キャップ２２の脱着を簡単に行うことができる。
【００２９】
また、ラジエーター１９の給水口２１の周囲には十分な空間を形成させることができるので、給水口２１に挿入する図示しない給水ホースと、この給水ホースの周囲の部材との干渉の虞を少なくすることができ、給水ホースの扱いが簡単になる。
【００３０】
これらのことにより本実施形態は、ラジエーター１９に対する給水作業の作業性に優れた信頼性の高いミニショベルを実現させることができる。
【００３１】
また本実施形態は、給水口２１とラジエーター１９とを連絡する給水配管が、給水口２１が設けられるパイプ２４と、ラジエーター１９とを接続する可撓性を有するホース２５を含むことから、エンジンルーム１６内に形成されるデッドスペースを有効に活用してホース２５を適宜撓ませて配置することができ、ラジエーター１９から離れた位置に給水口２１を配置したものにあって、コンパクトな給水系統を実現できる。
【００３２】
また本実施形態は、蓋部３０の裏面に、キャップ２２を回転させることが可能な４つの爪３０ｂを設けたことから、キャップ２２の脱着に際して、蓋部３０を用いてキャップ２２を容易に脱着させることができ、給水作業性の向上に貢献する。
【００３３】
また本実施形態は、蓋部３０が裏面に４つの爪３０ｂが設けられる平板部材３０ａを含み、蓋部３０で開口部２０を閉じた状態では、蓋部３０の平板部材３０ａの上面と、エンジンルーム１６の上部カバー８の上面とを略同一面に形成させることができる。
【００３４】
また本実施形態は、給水口２１を保持し、エンジンルーム１６内に配置された支持部材に支持するブラケット２３を備えたことから、給水口２１、及び給水口２１に装着したキャップ２２を、開口部２０内において位置ずれを生じさせることなく安定して保持することができる。
【００３５】
なお、前述した実施形態では、蓋部３０の裏面に４つの爪３０ｂを設けた構成にしてあるが、２つまたは３つの爪３０ｂを設けるようにしてもよく、また、５つ以上の爪３０ｂを設けるようにしてもよい。
【符号の説明】
【００３６】
１    走行体
２    旋回体
３    作業装置
４    運転席
５    キャノピー
５ｂ  支柱
６    カウンターウエイト
８    上部カバー
１６    エンジンルーム
１７    エンジン
１９    ラジエーター
２０    開口部
２１    給水口
２２    キャップ
２３    ブラケット
２４    パイプ（給水配管）
２５    ホース（給水配管）
３０    蓋部
３０ａ  平板部材
３０ｂ  爪
【図１】
2017043984.tif 000003
【図２】
2017043984.tif 000004
【図３】
2017043984.tif 000005
【図４】
2017043984.tif 000006
【図５】
2017043984.tif 000007
【図６】
2017043984.tif 000008
【図７】
2017043984.tif 000009